(57)【要約】【課題】調光機能と調色機能をより簡単な構成で実現することができるとともに、調光器から照明器具本体までの信号線の配線も不要な照明器具等を提供する。【解決手段】スイッチ３を介して交流電源に接続される照明器具１であり、照明器具本体１０と、交流電源２の位相を制御して照明器具本体の調光を行う位相制御型調光器４とを備えている。照明器具本体１０は、スイッチ２のプルレス操作がなされたか否かを判定する判定手段１４と、判定手段により、プルレス操作がなされたと判定された場合は、プルレス操作に応じた調色制御を行う制御手段１４を備えている。【選択図】  図４
2015133249.tif 000002
【特許請求の範囲】
【請求項１】
スイッチを介して交流電源に接続される照明器具であって、
照明器具本体と、前記交流電源の位相を制御して前記照明器具本体の調光を行う位相制御型調光器とを備え、
前記照明器具本体は、
前記スイッチのプルレス操作がなされたか否かを判定する判定手段と、
前記判定手段により、プルレス操作がなされたと判定された場合は、前記プルレス操作に応じた調色制御を行う制御手段と、
を備えたことを特徴とする照明器具。
【請求項２】
前記照明器具本体はさらに、前記交流電源からの入力電圧の変化を直接に監視して、前記入力電圧が一定値以下に低下したことを検出する検出手段を備え、
前記判定手段は、前記検出手段により検出された前記入力電圧が一定値以下である時間が、予め設定された範囲内の時間であるか否かを判定することにより、プルレス操作がなされたか否かを判定する請求項１に記載の照明器具。
【請求項３】
前記照明器具本体はさらに、前記位相制御型調光器により前記交流電源からの入力が遮断される領域のみで動作し、前記調光器からの漏れ電圧を吸収するためのインピーダンス低下回路を備えている請求項１または２に記載の照明器具。
【請求項４】
照明器具本体はダウンライトとして用いられる請求項１〜３のいずれかに記載の照明器具。
【請求項５】
スイッチを介して交流電源に接続される照明器具であって、
複数の照明器具本体と、前記交流電源の位相を制御して前記複数の照明器具本体の調光を行う位相制御型調光器とを備え、
前記各照明器具本体は、
前記スイッチのプルレス操作がなされたか否かを判定する判定手段と、
前記判定手段により、プルレス操作がなされたと判定された場合は、前記プルレス操作に応じた調色制御を行う制御手段と、
を備えたことを特徴とする照明システム。
【請求項６】
前記照明器具本体はさらに、前記交流電源からの入力電圧の変化を直接に監視して、前記入力電圧が一定値以下に低下したことを検出する検出手段を備え、
前記判定手段は、前記検出手段により検出された前記入力電圧が一定値以下である時間が、予め設定された範囲内の時間であるか否かを判定することにより、プルレス操作がなされたか否かを判定する請求項５に記載の照明システム。
【請求項７】
前記照明器具本体はさらに、前記位相制御型調光器により前記交流電源からの入力が遮断される領域のみで動作し、前記調光器からの漏れ電圧を吸収するためのインピーダンス低下回路を備えている請求項５または６に記載の照明システム。
【請求項８】
照明器具本体はダウンライトとして用いられる請求項５〜７のいずれかに記載の照明システム。
【発明の詳細な説明】
【技術分野】
【０００１】
この発明は、簡単な構成で照明器具本体の調光と調色が可能となる照明器具に関し、特に複数個のダウンライト等として商用交流電源に並列接続して使用される場合に好適な照明器具及び照明システムに関する。
【背景技術】
【０００２】
光源の明るさを調節する調光器を備えた照明器具は従来より公知である（例えば特許文献１）。
【０００３】
このような調光器を備えた照明器具において、色温度を変化させる調色機能を実現しようとすると、従来では、調光器の他に専用の調色器が必要であった。
【先行技術文献】
【特許文献】
【０００４】
【特許文献１】特開２００５−２６８０９２号公報
【発明の概要】
【発明が解決しようとする課題】
【０００５】
しかしながら、調光器の他に専用の調色器を備えた構成では、照明器具の全体構成が複雑化するとともに、調光器の調節用つまみの他に、調色のための専用の操作部材も必要となり、照明器具の点灯・消灯用のスイッチとともにこれらの調節用つまみや操作部材を設けるのは、設置スペースが必要以上に大きくなるという問題もあった。
【０００６】
また、最近では照明器具の光源としてＬＥＤが用いられるようになっていることもあって、調光器としてＰＷＭ信号制御調光器が専ら用いられている。
【０００７】
しかし、ＰＷＭ信号制御調光器では、施工時に調光器から各照明器具までＰＷＭ信号線の配線が必要であり、コストアップの要因となるとか、施工時に配線をし忘れるというような問題もある。
【０００８】
特に、例えば１部屋に備えられた複数個のダウンライトの調光や調色を１つの調光器や調色器により同時に行うような場合は、配線が非常に複雑化し、コストアップの要因となるとか施工時に配線をし忘れるというような問題が、さらに顕著になっていた。
【０００９】
この発明は、このような問題を解決するためになされたものであって、調光機能と調色機能をより簡単な構成で実現することができるとともに、調光器から照明器具本体までの信号線の配線も不要な照明器具及び照明システムを提供することを課題とする。
【課題を解決するための手段】
【００１０】
上記課題は、以下の手段によって解決される。
（１）スイッチを介して交流電源に接続される照明器具であって、照明器具本体と、前記交流電源の位相を制御して前記照明器具本体の調光を行う位相制御型調光器とを備え、前記照明器具本体は、前記スイッチのプルレス操作がなされたか否かを判定する判定手段と、前記判定手段により、プルレス操作がなされたと判定された場合は、前記プルレス操作に応じた調色制御を行う制御手段と、を備えたことを特徴とする照明器具。
（２）前記照明器具本体はさらに、前記交流電源からの入力電圧の変化を直接に監視して、前記入力電圧が一定値以下に低下したことを検出する検出手段を備え、前記判定手段は、前記検出手段により検出された前記入力電圧が一定値以下である時間が、予め設定された範囲内の時間であるか否かを判定することにより、プルレス操作がなされたか否かを判定する前項１に記載の照明器具。
（３）前記照明器具本体はさらに、前記位相制御型調光器により前記交流電源からの入力が遮断される領域のみで動作し、前記調光器からの漏れ電圧を吸収するためのインピーダンス低下回路を備えている前項１または２に記載の照明器具。
（４）照明器具本体はダウンライトとして用いられる前項１〜３のいずれかに記載の照明器具。
（５）スイッチを介して交流電源に接続される照明器具であって、複数の照明器具本体と、前記交流電源の位相を制御して前記複数の照明器具本体の調光を行う位相制御型調光器とを備え、前記各照明器具本体は、前記スイッチのプルレス操作がなされたか否かを判定する判定手段と、前記判定手段により、プルレス操作がなされたと判定された場合は、前記プルレス操作に応じた調色制御を行う制御手段と、を備えたことを特徴とする照明システム。
（６）前記照明器具本体はさらに、前記交流電源からの入力電圧の変化を直接に監視して、前記入力電圧が一定値以下に低下したことを検出する検出手段を備え、前記判定手段は、前記検出手段により検出された前記入力電圧が一定値以下である時間が、予め設定された範囲内の時間であるか否かを判定することにより、プルレス操作がなされたか否かを判定する前項５に記載の照明システム。
（７）前記照明器具本体はさらに、前記位相制御型調光器により前記交流電源からの入力が遮断される領域のみで動作し、前記調光器からの漏れ電圧を吸収するためのインピーダンス低下回路を備えている前項５または６に記載の照明システム。
（８）照明器具本体はダウンライトとして用いられる前項５〜７のいずれかに記載の照明システム。
【発明の効果】
【００１１】
前項（１）に記載の発明によれば、照明器具本体の調光は位相制御型調光器により行われ、照明器具本体の調色はスイッチのプルレス操作により行われるから、調色のための専用の操作部材は不要となり、プルレス操作を行うという簡単な構成で調色機能を実現することができる。また、調色のための専用の操作部材も不要になるから、スイッチとともに調光器の操作つまみを設けるだけで良く、これらスイッチや操作つまみの設置スペースが小さくて済む。
【００１２】
しかも、調光器は位相制御型のものを用いるから、ＰＷＭ信号制御調光器のように、施工時に調光器から照明器具までＰＷＭ信号線の配線が必要となることはなく、その分コストアップを抑制でき、施工時に配線をし忘れるというような問題も解決できる。
【００１３】
前項（２）に記載の発明によれば、交流電源からの入力電圧の変化を直接に監視して、入力電圧が一定値以下に低下したことを検出し、入力電圧が一定値以下である時間が、予め設定された範囲内の時間であるか否かを判定することでプルレス操作がなされたか否かを判定するから、脈流入力電圧を平均化した値を基にスイッチのオフ期間を測定し、プルレス操作がなされたと判定する技術に比べて、入力電圧が一定値以下である時間、つまりスイッチがオフである時間をばらつきなく高精度に測定でき、ひいてはプルレス操作がなされたと判定するタイミングを照明器具間でばらつきなく高精度に合致させることができる。従って、例えば１部屋に備えられた複数個の照明器具本体の調光及び／または調色を１つのスイッチのプルレス操作で同時に行うような場合においても、明るさや色の変化するタイミングを照明器具本体間で精度良く揃えることができる。
【００１４】
前項（３）に記載の発明によれば、位相制御型調光器により交流電源からの入力が遮断される領域において、インピーダンス低下回路により位相制御型調光器からの漏れ電圧を吸収できるから、入力電圧が一定値以下に低下したことの検出に対して、漏れ電圧の影響を抑制することができ、スイッチがオフである時間をばらつきなく高精度に測定でき、プルレス操作がなされたと判定するタイミングを照明器具間でばらつきなく高精度に合致させることができる。
【００１５】
前項（４）に記載の発明によれば、ダウンライトの調光を位相制御型調光器で行いながら、調色を１つのスイッチのプルレス操作で行うことができる。
【００１６】
前項（５）に記載の発明によれば、複数個の照明器具本体の調光を位相制御型調光器で行いながら、各照明器具本体の調色を１つのスイッチのプルレス操作で同時に行うことができる。
【００１７】
前項（６）に記載の発明によれば、交流電源からの入力電圧の変化を直接に監視して、入力電圧が一定値以下に低下したことを検出し、入力電圧が一定値以下である時間が、予め設定された範囲内の時間であるか否かを判定することでプルレス操作がなされたか否かを判定するから、脈流入力電圧を平均化した値を基にスイッチのオフ期間を測定し、プルレス操作がなされたと判定する技術に比べて、入力電圧が一定値以下である時間、つまりスイッチがオフである時間をばらつきなく高精度に測定でき、ひいてはプルレス操作がなされたと判定するタイミングを照明器具間でばらつきなく高精度に合致させることができる。
【００１８】
前項（７）に記載の発明によれば、位相制御型調光器により交流電源からの入力が遮断される領域において、インピーダンス低下回路により位相制御型調光器からの漏れ電圧を吸収できるから、入力電圧が一定値以下に低下したことの検出に対して、漏れ電圧の影響を抑制することができ、スイッチがオフである時間をばらつきなく高精度に測定でき、プルレス操作がなされたと判定するタイミングを照明器具間でばらつきなく高精度に合致させることができる。
【００１９】
前項（８）に記載の発明によれば、複数のダウンライトの調光を位相制御型調光器で同時に行いながら、各照明器具の調色を１つのスイッチのプルレス操作で同時に行うことができる。
【図面の簡単な説明】
【００２０】
【図１】この発明の一実施形態に係る照明器具が用いられた照明システムの構成図である。
【図２】スイッチと調光器の調光度合いを調整するための操作用のボリュームが一体に設けられたスイッチユニットが壁面等に取り付けられている状態の斜視図である。
【図３】照明器具の構成を示す回路図である。
【図４】図３の照明器具の動作を示すフローチャートである。
【図５】プルレス操作か否かの判定方法を説明するための図である。
【発明を実施するための形態】
【００２１】
以下、この発明の実施形態を図面に基づいて説明する。
【００２２】
図１はこの発明の一実施形態に係る照明システム１の構成図である。この照明システム１は、複数個の照明器具本体１０が、全ての照明器具本体１０を同時に点灯または消灯させるスイッチ３と、全ての照明器具本体１０の調光を同時に行う１台の位相制御型調光器４を介して商用交流電源２に並列に接続されている。
【００２３】
位相制御型調光器４は、ユーザーによる調節つまみ（ボリューム）の操作に基づいて、交流電源２の位相を制御して交流電源２から各照明器具本体１０への入力電力の供給と遮断を制御することにより、各照明器具１における光源１６の明るさを調整するものである。なお、図２に示すように、前記スイッチ３と調光度合いを調整するための操作用のボリューム４１がスイッチユニット５に一体に設けられると共に、スイッチユニット５は室内の壁面等に取り付けられている。
【００２４】
照明器具本体１０の構成を図３の回路図に示す。この照明器具本体１０は、  この実施形態では、照明器具１としてダウンライトが用いられているが、ダウンライトに限定されることはない。
【００２５】
図３は照明器具本体１０の構成を示す回路図である。各照明器具本体１０は同一の構成を有している。
【００２６】
照明器具本体１０は、整流回路１１と、入力回路１２と、ＡＣ−ＤＣ変換回路１３と、制御部１４と、駆動部１５と、光源１６等を備えている。また、この実施形態では、整流回路１１の出力側にインピーダンス低下回路１８が設けられている。
【００２７】
整流回路１１は、交流電源２からの交流入力を全波整流する回路であり、入力回路１２は、整流回路１１による整流後の入力電圧を分圧して電圧値を低下させるものである。この実施形態では、入力回路１２は抵抗Ｒ１とＲ２により入力電圧を分圧する。
【００２８】
ＡＣ−ＤＣ変換回路１３は、整流回路１１による全波整流後の入力電圧の脈流をなくして安定した直流電源を生成するものである。ＡＣ−ＤＣ変換回路１３により生成された直流電源は光源１６の駆動電源及び制御部１４の電源等に用いられる。
【００２９】
制御部１４は、ＣＰＵ１４１とＲＯＭ１４２とＲＡＭ１４３を備え、照明器具本体１０の全体動作を制御するものである。特にこの実施形態では、前記入力回路１２で分圧され電圧値の小さくなった電圧（以下、監視電圧という）を監視することにより、ユーザーによってなされるスイッチ３のプルレス操作を検出する機能を有する。具体的な検出方法については後述する。
【００３０】
前記ＲＯＭ１４２には、ＣＰＵ１４１の動作プログラムや、プルレス操作かどうかを判定するための各種設定値等が保存されており、ＣＰＵ１４１はこれらの動作プログラムや設定値に従って所定の動作を行う。ＲＡＭ１４３はＣＰＵ１４１が動作する際の作業領域を提供する。
【００３１】
駆動部１５は、光源１６を駆動して点灯させると共に、制御部１４によるプルレス操作の検出結果に基づいて光源１６の色温度の調整、即ち調色を行う。
【００３２】
光源１６としては発光ダイオード（ＬＥＤ）製のものが好適に用いられるが、これに限定されることはない。また、この実施形態では光源１６としてダウンライト用の光源が用いられているが、任意の光源を用いることが可能である。また、光源１６の調色の一例として、この実施形態ではプルレス操作が行われる毎に昼白色と電球色の色温度に交互に切り替えるものとしているが、調色の仕方はこれに限定されることはなく、３種類以上の色温度に切り替える構成であっても良い。
【００３３】
ところで、位相制御型調光器４が入力遮断領域にあると、調光器４のインピーダンスと調光器４の下流側のインピーダンスにより、下流側に漏れ電圧を供給してしまう。この漏れ電圧により、入力回路１２の出力である監視電圧Ｖ０が影響を受け、監視電圧Ｖ０が一定電圧値Ｖ１以下になったかどうか等のタイミングの検出やスイッチ３のオフ時間の検出にばらつきを与えることになる。
【００３４】
そこで、この実施形態では、位相制御型調光器４が入力遮断領域にあるときにのみ動作するインピーダンス低下回路１８を整流回路１１の出力側に設けている。位相制御型調光器４からの漏れ電圧をインピーダンス低下回路１８で吸収することで、監視電圧Ｖ０に対する漏れ電圧の影響を抑制し、監視電圧Ｖ０が一定電圧Ｖ１以下になったタイミングやスイッチ３のオフ時間の検出をばらつき無く精度良く行えるように構成されている。
【００３５】
その結果、位相制御型調光器４により調光される照明器具本体１０であっても、プルレス操作がなされたと判定するタイミングを照明器具本体間でばらつきなく高精度に合致させることができ、複数個の照明器具本体１０を並列に接続して各照明器具１の調色を１つのスイッチ３のプルレス操作で同時に行うような場合においても、色の変化するタイミングを照明器具間で精度良く揃えることができる。
【００３６】
なお、インピーダンス低下回路１８は該回路１８の入力電圧が予め設定された閾値電圧Ｖ２以下になると動作を開始し、閾値電圧Ｖ２を超えて入力電圧が上昇すると動作が停止する構成となっており、これによりインピーダンス低下回路１８を、位相制御型調光器４が入力遮断領域にあるときにのみ動作させ、入力遮断領域にあるときは動作を停止させることができる。
【００３７】
次に、図３に示した照明器具本体１０の動作を、図４のフローチャート及び図５の波形図を参照して説明する。
【００３８】
図４において、ステップＳ１１で、調光器４が入力遮断領域の時（ステップＳ１１でＹＥＳ）、ステップＳ１２でインピーダンス低下回路１８が動作する。調光器４が入力遮断領域でない時は（ステップＳ１１でＮＯ）、インピーダンス低下回路１８は動作しない。ステップＳ１３で、制御部１４は入力回路１２の出力である監視電圧Ｖ０を監視することにより、監視電圧が一定値Ｖ１以下になったかどうかを調べる。監視電圧Ｖ０が予め設定された一定値Ｖ１以下になったときは（ステップＳ１３でＹＥＳ）、ステップＳ１４で、制御部１４はそのタイミングＴ１を記憶する。
【００３９】
次に、ステップＳ１５で、制御部１４はタイミングＴ１からの時間を測定し予め設定された一定時間ｔ１以内に、再度、監視電圧Ｖ０が一定値Ｖ１以下になったかどうかを判断する。
【００４０】
図５（Ａ）に示すように、監視電圧Ｖ０は整流回路１１による整流後の入力電圧の波形と同一の波形を有するから、制御部１４は位相制御型調光器４により位相を制御された交流電源２による入力電圧の変動を、監視電圧Ｖ０を介して直接に監視していることになる。前記一定値Ｖ１はスイッチ３がオフ操作されたことを検出するための閾値であり、ゼロに近い値が設定される。
【００４１】
図５（Ａ）に示すように、監視電圧Ｖ０が一定値Ｖ１以下になったタイミングをＴ１とすると、タイミングＴ１から一定時間ｔ１以内に、監視電圧Ｖ０が再度一定値Ｖ１以下になったかどうかが判断される。この一定時間ｔ１は、入力電圧の脈流による電圧低下または位相制御型調光器４が入力供給領域から入力遮断領域に切り替わったときの電圧低下か、スイッチ３のオフ操作による電圧低下かを判別するための閾値であり、交流電源２の半周期よりも十分に長く、人によるスイッチ３のオフオンの連続操作に要する時間よりも短い例えば１２ｍｓに設定されている。
【００４２】
つまり、図５（Ａ）に示すように、スイッチ３をオフ操作しなくても、監視電圧Ｖ０の脈流または位相制御型調光器４が入力遮断領域に切り替わったときの電圧低下により、タイミングＴ１とそこから半周期経過したタイミングＴ２で、監視電圧Ｖ０が一定値Ｖ１以下になったことが必ず検出される。しかし、これはスイッチ３のオフ操作による電圧低下ではなく、タイミングＴ１からタイミングＴ２までの経過時間は一定時間ｔ１よりも短いから、この状態をプルレス操作の検出から排除する構成となっている。
【００４３】
従って、図４のステップＳ１５の判断の結果、タイミングＴ１から一定時間ｔ１以内に、再度、監視電圧Ｖ０が一定値Ｖ１以下になった場合は（ステップＳ１５でＹＥＳ）、プルレス操作でないと判定し、ステップＳ１６で、記憶したタイミングＴ１をクリアしてステップＳ１１に戻る。
【００４４】
一方、ステップＳ１５で、監視電圧Ｖ０が一定値Ｖ１以下にならなかった場合は（ステップＳ１５でＮＯ）、ステップＳ１７で、タイミングＴ１から予め設定された一定時間ｔ２が経過するまでに、監視電圧Ｖ０が所定値まで上昇したかどうかを判定する。つまり、スイッチ３がオンされて監視電圧Ｖ０が回復したかどうかを判定する。上昇した場合は（ステップＳ１７でＹＥＳ）、ステップＳ１８で、制御部１４はプルレス操作と判定し、駆動部１５を介して電源１６の調色を行う。上昇しなかった場合は（ステップＳ１７でＮＯ）、何もしない。
【００４５】
図５（Ｂ）に示すように、ユーザーがプルレス操作のためにスイッチ３をタイミングＴ１でオフし、タイミングＴ３でスイッチ３をオンしたとすると、監視電圧Ｖ０はタイミングＴ１で一定値Ｖ１以下となり、一定時間ｔ１を超えるタイミングＴ３まで監視電圧Ｖ０は一定値Ｖ１を下回り、タイミングＴ３で電圧が回復して一定値Ｖ１を超えることとなる。
【００４６】
制御部１４は、監視電圧Ｖ０が一定値Ｖ１以下となったタイミングＴ１から一定時間ｔ１が経過するまでに、監視電圧Ｖ０が再度一定値Ｖ１以下とならなかった場合、つまり監視電圧Ｖ０が継続して一定値Ｖ１を下回っている場合は、タイミングＴ１から一定時間ｔ２が経過するまでに監視電圧Ｖ０が上昇したかどうか、換言すればスイッチ３がオンになったかどうかを判断し、オンになった場合（ステップＳ１７でＹＥＳの場合）、プルレス操作が行われたと判定するものである。
【００４７】
一方、ユーザーが照明器具１の消灯のためにスイッチ３をオフしたとすると、オフ状態が継続されるから、タイミングＴ１から時間ｔ２が経過しても、監視電圧Ｖ０の電圧値は上昇しない。そこで、制御部１４はタイミングＴ１から一定時間ｔ２の経過までに監視電圧Ｖ０が上昇しなければ（ステップＳ１７でＮＯの場合）、ユーザーは消灯のためにスイッチ３をオフしたものと判定し、そのまま何もせず処理を終了する。
【００４８】
予め設定された一定時間ｔ２は、人がスイッチ３をプルレス操作するのに要する時間よりもやや長く設定されており、一定時間ｔ１よりも大きい値である。
【００４９】
以上の説明から理解されるように、この実施形態では、一定時間ｔ１の設定によりスイッチ３がオフされたことを確実に検出し、一定時間ｔ２の設定により消灯のためのスイッチ３のオフ操作を排除する。そして、スイッチ３のオフ時間が一定時間ｔ１を超えｔ２までの範囲のときに、プルレス操作がなされたものとして判定して調色を行うから、プルレス操作がなされたことを確実に検出することができる。
【００５０】
しかも、入力電圧を入力回路１２で分圧し、この分圧された監視電圧Ｖ０を制御部１４で監視するから、交流電源２から位相制御型調光器４により位相を制御された照明器具本体１０への入力電圧の変化を直接に監視していることと同じになり、入力電圧を平均化した値を環視し、この値を基にスイッチのオフ期間を測定する方法に較べて、高精度にオフ期間を測定することができ、ひいてはプルレス操作がなされたと判定するタイミングを照明器具１間でばらつきなく高精度に合致させることができる。その結果、複数個の照明器具本体１０を並列に接続して、複数個の照明器具本体１０の調色を１つのスイッチ３のプルレス操作で同時に行うような場合においても、色の変化するタイミングを照明器具本体１０間で精度良く揃えることができる。
【００５１】
なお、この実施形態では、位相制御型調光器４が入力遮断領域にある時に、スイッチ３がオフになっても、その時点では監視電圧Ｖ０は既に一定値Ｖ０以下になっているから、その直前に位相制御型調光器４が入力遮断領域に切り替わったときにスイッチ３がオフされたものと判断されることになる。また、位相制御型調光器４が入力遮断領域にある時にスイッチ３がオンになっても、その時点では監視電圧Ｖ０は上昇せずその直後に位相制御型調光器１７が入力供給領域に切り替わった時点で監視電圧Ｖ０は上昇するから、そのタイミングをもってスイッチ３がオンされたものと判断されることになる。しかし、各照明器具本体１０間で、これらのタイミングがばらつくことはないので、プルレス操作がなされたと判定するタイミングを照明器具本体１０間でばらつきなく高精度に合致させることができ、複数個の照明器具本体１０の調色を１つのスイッチ３のプルレス操作で同時に行うような場合においても、色の変化するタイミングを照明器具本体１０間で精度良く揃えることができる。
【００５２】
なお、以上の実施形態では、複数の照明器具本体１０を位相制御型調光器４に並列に接続して使用する構成を説明したが、１台の照明器具本体１０のみを位相制御型調光器４に接続した照明器具に適用しても良い。
【符号の説明】
【００５３】
１      照明システム
２      交流電源
３      スイッチ
４      位相制御型調光器
１１    整流回路
１２    入力回路
１３    ＡＣ−ＤＣ変換回路
１４    制御部
１５    駆動部
１６    光源
１８    インピーダンス低下回路
【図１】
2015133249.tif 000003
【図２】
2015133249.tif 000004
【図３】
2015133249.tif 000005
【図４】
2015133249.tif 000006
【図５】
2015133249.tif 000007